(57)【特許請求の範囲】
【請求項１】
キャリアアグリゲーション環境におけるセルの管理方法において、ユーザ設備によって測定した全基地局の全キャリア上の全セルでのチャネル品質パラメータ測定値を取得するステップＡと、
少なくともチャネル品質パラメータ測定値に対応するキャリア周波数に基づいて、チャネル品質パラメータ測定値に対応する補正量を特定し、上記補正量を利用して対応するチャネル品質パラメータ測定値を補正するステップＢと、
ただし、上記チャネル品質パラメータ測定値に対応するキャリア周波数が高いほど、上記チャネル品質パラメータ測定値に対応する補正量が大きくなり、
補正後のチャネル品質パラメータ測定値から最大値を選択し、該最大値を有する補正後のチャネル品質パラメータ測定値に対応するセルを、上記ユーザ設備のプライマリセルに配置するステップＣと、
上記ステップＢにおいて、
チャネル品質パラメータ測定値に対応するキャリア周波数とチャネル品質パラメータ測定値に対応するセル負荷とに基づいて、上記補正量を特定し、上記補正量を利用して対応するチャネル品質パラメータ測定値を補正し、
ただし、上記チャネル品質パラメータ測定値に対応するセル負荷が小さいほど、上記チャネル品質パラメータ測定値に対応する補正量が大きくなることを特徴とする管理方法。
【請求項２】
セカンダリセル候補集合を取得するステップＤと、
ただし、上記セカンダリセル候補集合における全セルが上記プライマリセルとは同一の基地局に属し、且つ上記セカンダリセル候補集合における各セルの補正後のチャネル品質パラメータ測定値と加入閾値との和が、プライマリセルに対応する補正後のチャネル品質パラメータ測定値以上であり、
各キャリアに対応するセルにおいて、補正後のチャネル品質パラメータ測定値が最大のセルのみを保留するようにセカンダリセル候補集合に対して削除操作を実行するステップＥと、
上記削除操作実行後のセカンダリセル候補集合におけるセルの一部又はすべてを上記ユーザ設備のセカンダリセルに配置するステップＦと、
を更に含むことを特徴とする請求項１に記載の管理方法。
【請求項３】
キャリアアグリゲーション環境におけるセルの管理方法において、ユーザ設備によって測定した全基地局の全キャリア上の全セルでのチャネル品質パラメータ測定値を取得するステップＡと、
少なくともチャネル品質パラメータ測定値に対応するキャリア周波数に基づいて、チャネル品質パラメータ測定値に対応する補正量を特定し、上記補正量を利用して対応するチャネル品質パラメータ測定値を補正するステップＢと、
ただし、上記チャネル品質パラメータ測定値に対応するキャリア周波数が高いほど、上記チャネル品質パラメータ測定値に対応する補正量が大きくなり、
補正後のチャネル品質パラメータ測定値から最大値を選択し、該最大値を有する補正後のチャネル品質パラメータ測定値に対応するセルを、上記ユーザ設備のプライマリセルに配置するステップＣと、
セカンダリセル候補集合を取得するステップＤと、
ただし、上記セカンダリセル候補集合における全セルが上記プライマリセルとは同一の基地局に属し、且つ上記セカンダリセル候補集合における各セルの補正後のチャネル品質パラメータ測定値と加入閾値との和が、プライマリセルに対応する補正後のチャネル品質パラメータ測定値以上であり、
各キャリアに対応するセルにおいて、補正後のチャネル品質パラメータ測定値が最大のセルのみを保留するようにセカンダリセル候補集合に対して削除操作を実行するステップＥと、
上記削除操作実行後のセカンダリセル候補集合におけるセルの一部又はすべてを上記ユーザ設備のセカンダリセルに配置するステップＦと
を含むことを特徴とする管理方法。
【請求項４】
ユーザ設備の既存セカンダリセルの補正後のチャネル品質パラメータ測定値と削除閾値との和が、プライマリセルの補正後のチャネル品質パラメータ測定値より小さいか否かを判断するステップＧと、
ユーザ設備の既存セカンダリセルの補正後のチャネル品質パラメータ測定値と削除閾値との和が、プライマリセルに対応する補正後のチャネル品質パラメータ測定値より小さい場合、上記既存セカンダリセルを上記ユーザ設備のセカンダリセルとしないように削除操作を実行するステップＨと、
を更に含むことを特徴とする請求項２或は３に記載の管理方法。
【請求項５】
上記ステップＤにおいて、上記加入閾値は、サービス基地局の負荷によって定められ、サービス基地局の負荷が大きいほど、上記加入閾値が小さくなることを特徴とする請求項４に記載の管理方法。
【請求項６】
上記ステップＨにおいて、上記削除閾値は、サービス基地局の負荷によって定められ、サービス基地局の負荷が大きいほど、上記削除閾値が小さくなることを特徴とする請求項４に記載の管理方法。
【請求項７】
キャリアアグリゲーション環境におけるセルの管理装置において、
ユーザ設備によって測定した全基地局の全キャリア上の全セルでのチャネル品質パラメータ測定値を取得する測定値取得モジュールと、
少なくともチャネル品質パラメータ測定値に対応するキャリア周波数に基づいて、チャネル品質パラメータ測定値に対応する補正量を特定し、上記補正量を利用して対応するチャネル品質パラメータ測定値を補正する補正モジュールと、
ただし、上記チャネル品質パラメータ測定値に対応するキャリア周波数が高いほど、上記チャネル品質パラメータ測定値に対応する補正量が大きくなり、
補正後のチャネル品質パラメータ測定値から最大値を選択し、該最大値を有する補正後のチャネル品質パラメータ測定値に対応するセルを、上記ユーザ設備のプライマリセルに配置する第１配置モジュールと、
を含み、
上記補正モジュールは、チャネル品質パラメータ測定値に対応するキャリア周波数とチャネル品質パラメータ測定値に対応するセル負荷とに基づいて、チャネル品質パラメータ測定値に対応する上記補正量を特定し、上記補正量を利用して対応するチャネル品質パラメータ測定値を補正し、
ただし、上記チャネル品質パラメータ測定値に対応するセル負荷が小さいほど、上記チャネル品質パラメータ測定値に対応する補正量が大きくなることを特徴とする管理装置。
【請求項８】
セカンダリセル候補集合を取得する集合取得モジュールと、
ただし、上記セカンダリセル候補集合における全セルが上記プライマリセルとは同一の基地局に属し、且つ上記セカンダリセル候補集合における各セルの補正後のチャネル品質パラメータ測定値と加入閾値との和が、プライマリセルに対応する補正後のチャネル品質パラメータ測定値以上であり、
各キャリアに対応するセルにおいて、補正後のチャネル品質パラメータ測定値が最大のセルのみを保留するようにセカンダリセル候補集合に対して削除操作を実行する第１削除モジュールと、
上記削除操作実行後のセカンダリセル候補集合におけるセルの一部又はすべてを上記ユーザ設備のセカンダリセルに配置する第２配置モジュールと、
を更に含むことを特徴とする請求項７に記載の管理装置。
【請求項９】
キャリアアグリゲーション環境におけるセルの管理装置において、
ユーザ設備によって測定した全基地局の全キャリア上の全セルでのチャネル品質パラメータ測定値を取得する測定値取得モジュールと、
少なくともチャネル品質パラメータ測定値に対応するキャリア周波数に基づいて、チャネル品質パラメータ測定値に対応する補正量を特定し、上記補正量を利用して対応するチャネル品質パラメータ測定値を補正する補正モジュールと、
ただし、上記チャネル品質パラメータ測定値に対応するキャリア周波数が高いほど、上記チャネル品質パラメータ測定値に対応する補正量が大きくなり、
補正後のチャネル品質パラメータ測定値から最大値を選択し、該最大値を有する補正後のチャネル品質パラメータ測定値に対応するセルを、上記ユーザ設備のプライマリセルに配置する第１配置モジュールと、
セカンダリセル候補集合を取得する集合取得モジュールと、
ただし、上記セカンダリセル候補集合における全セルが上記プライマリセルとは同一の基地局に属し、且つ上記セカンダリセル候補集合における各セルの補正後のチャネル品質パラメータ測定値と加入閾値との和が、プライマリセルに対応する補正後のチャネル品質パラメータ測定値以上であり、
各キャリアに対応するセルにおいて、補正後のチャネル品質パラメータ測定値が最大のセルのみを保留するようにセカンダリセル候補集合に対して削除操作を実行する第１削除モジュールと、
上記削除操作実行後のセカンダリセル候補集合におけるセルの一部又はすべてを上記ユーザ設備のセカンダリセルに配置する第２配置モジュールと、
を含むことを特徴とする管理装置。
【請求項１０】
ユーザ設備の既存セカンダリセルの補正後のチャネル品質パラメータ測定値と削除閾値との和が、プライマリセルの補正後のチャネル品質パラメータ測定値より小さいか否かを判断する判断モジュールと、
ユーザ設備の既存セカンダリセルの補正後のチャネル品質パラメータ測定値と削除閾値との和が、プライマリセルに対応する補正後のチャネル品質パラメータ測定値より小さい場合、上記既存セカンダリセルを上記ユーザ設備のセカンダリセルとしないように削除操作を実行する第２削除モジュールと、
を更に含むことを特徴とする請求項８或は９に記載の管理装置。
【請求項１１】
上記加入閾値は、サービス基地局の負荷によって定められ、サービス基地局の負荷が大きいほど、上記加入閾値が小さくなることを特徴とする請求項１０に記載の管理装置。
【請求項１２】
上記削除閾値は、サービス基地局の負荷によって定められ、サービス基地局の負荷が大きいほど、上記削除閾値が小さくなることを特徴とする請求項１０に記載の管理装置。
【発明の詳細な説明】
【技術分野】
【０００１】
本発明は、移動通信システムに関し、特に、キャリアアグリゲーション環境におけるセルの管理方法及び管理装置に関する。
【背景技術】
【０００２】
３ＧＰＰ（3rd  Generation  Partnership  Project）は、移動通信分野の重要な組織として、３Ｇ（The  Third  Generation）の標準化を大きく推進し、ＷＣＤＭＡ（Wide  Code  Division  Multiple  Access）、ＨＳＤＰＡ（High  Speed  Downlink  Packet  Access）、ＨＳＵＰＡ（High  Speed  Uplink  Packet  Access）などを含む一連の通信システム規範を制定している。
【０００３】
ブロードバンドアクセス技術の挑戦に対応し、日増しに成長する新型サービスの要求を満足するために、３ＧＰＰは２００４年末、３Ｇ  ＬＴＥ（Long  Term  Evolution）技術の標準化を起動した。３ＧＰＰは２００８年６月、ＬＴＥ‐Ａの技術要求報告を完成し、ＬＴＥ‐Ａの最小要求、即ち、下り方向ピーク速度：１Ｇｂｐｓ、上り方向ピーク速度：５００Ｍｂｐｓ、上り方向ピーク周波数スペクトル利用率：１５Ｍｂｐｓ／ＨＺ、下り方向ピーク周波数スペクトル利用率：３０Ｍｂｐｓ／ＨＺを提起した。これらのパラメータは、ＩＴＵの最小技術要求指標より遥かに高く、明らかに優勢に立つ。
【０００４】
ＬＴＥ‐Ａでは、連続的なキャリアアグリゲーション及び帯域内、帯域間の非連続的なキャリアアグリゲーションをサポートし、アグリゲート可能な最大帯域幅が１００ＭＨｚに達することができる。ＬＴＥ‐Ａの商用初期にキャリアを効果的に利用し、即ちＬＴＥユーザ設備がＬＴＥ‐Ａシステムにアクセスできるように保証するには、各キャリアは、ＬＴＥと後方互換のキャリアに配置可能でなければならないが、ＬＴＥ‐Ａシステムのみに使用されるキャリアに設計されるのも除外できない。現在、３ＧＰＰは、通信業者の需要に応じて１２種類のキャリアアグリゲーション応用シーンを識別したが、そのうちの４種類が近いうちの重要点としてそれぞれＦＤＤとＴＤＤの連続的と非連続的なキャリアアグリゲーションシーンに係る。ＬＴＥ‐Ａの研究段階において、キャリアアグリゲーションの関連研究は、連続的キャリアアグリゲーションの周波数スペクトル利用率向上、上下方向非対称のキャリアアグリゲーションシーンの制御チャネルの設計などに重点を持つ。
【０００５】
ＬＴＥ‐Ａによる新周波数スペクトルへの要求を考慮し、通信業者は、後方互換性を考慮すると同時に、必ず新しい周波数レンジとラジオ周波数リンクの導入も考慮する。新しいラジオ周波数リンクと既存のラジオ周波数リンクとは互いに独立しているため、通信業者はネットワーク配置時により大きい柔軟性を有する。図１において、白い楕円形は既存のセルを示し、斜線が描かれた楕円形は、新しく導入されるセルを示す。導入される新セルの周波数が既存セルとは異なる場合、通信業者は、環境上の要求に応じて対応するアンテナを回転させ、元々あるネットワークのセルの境界に対して補償を行うことによって、より優れたスループットとネットワークカバレッジを取得する。キャリアアグリゲーションシステムにおいて、複数のコンポーネントキャリア間に端末に対してジョイントスケーリングの方式を採用すると、通常、理想的なシステム性能を取得できる。
【０００６】
別の典型的な応用シーンとして、異種ネットワーク環境において、例えばピコセル（Picocell）、無線アクセスポイント（ＲＲＨ）など、新しく配置されるカバレッジの小さい基地局は、伝統的なマクロ基地局とは異なる周波数又は周波数レンジを使用しマクロ基地局との間の接続及び情報の交換を通じて、同様にキャリアアグリゲーションを実現可能であり、システム容量を向上させることができる。
【０００７】
勿論、キャリアアグリゲーションは、その他の数多くの応用シーンにおいても行なわれる。通信業者は、自分の需要に応じて、たとえば応用区域、ユーザ能力、基地局アンテナ配置などの要素を考慮して、異なる応用シーンを自主的に且つ柔軟に使用することができる。
【０００８】
３ＧＰＰ標準の規定により、ユーザ設備のコンポーネントキャリアは、プライマリコンポーネントキャリア（Primary  Component  Carrier）とセカンダリコンポーネントキャリア（Secondary  Component  Carrier）の二種類がある。対応的に、ユーザ設備がプライマリコンポーネントキャリア上に使用するセルは、プライマリセル（Primary  Cell，PCell）と称され、セカンダリコンポーネントキャリア上に使用するセルは、セカンダリセル（Secondary  Cell，SCell）と称される。一つのユーザ設備は、複数のセカンダリコンポーネントキャリア及びそれらに対応するセカンダリセルを同時に使用できるが、プライマリコンポーネントキャリア及びそれに対応するプライマリセルが一つでなければならない。キャリアアグリゲーションを行なうときに、絶対値方法と相対値方法の二種類の方法を使用してアグリゲーションの度合いを制御できる。絶対値方法を使用する場合、一つのプライマリセルを選定した後、セカンダリコンポーネントキャリア上の候補セカンダリセル／セカンダリセルのチャネル品質パラメータの絶対値のみに基づいて、候補セカンダリセル／セカンダリセルを追加／削除する必要があるか決定する。相対値方法を使用する場合、一つのプライマリセルを選定した後、プライマリセルと候補セカンダリセル／セカンダリセルのチャネル品質パラメータとの相対関係を比較する必要があり、この相対関係に基づいて、候補セカンダリセル／セカンダリセルを追加／削除する必要があるか決定する。
【０００９】
しかし、上記方法において、コンポーネントキャリアの選択は、チャネル品質の要素しか考慮されておらず、ユーザの体験速度を向上させるには更に最適化することができる。
【発明の概要】
【発明が解決しようとする課題】
【００１０】
本発明の目的は、キャリアアグリゲーション環境におけるセルの管理方法及び管理装置を提供し、キャリアアグリゲーション環境におけるユーザの体験速度を向上させることにある。
【課題を解決するための手段】
【００１１】
上記目的を実現するために、本発明の実施例は、キャリアアグリゲーション環境におけるセルの管理方法を提供する。
【００１２】
キャリアアグリゲーション環境におけるセルの管理方法において、ユーザ設備によって測定した全基地局の全キャリア上の全セルでのチャネル品質パラメータ測定値を取得するステップＡと、少なくともチャネル品質パラメータ測定値に対応するキャリア周波数に基づいて、チャネル品質パラメータ測定値に対応する補正量を特定し、上記補正量を利用して対応するチャネル品質パラメータ測定値を補正するステップＢと、ただし、上記チャネル品質パラメータ測定値に対応するキャリア周波数が高いほど、上記チャネル品質パラメータ測定値に対応する補正量が大きくなり、補正後のチャネル品質パラメータ測定値から最大値を選択し、該最大値を有する補正後のチャネル品質パラメータ測定値に対応するセルを、上記ユーザ設備のプライマリセルに配置するステップＣと、を含む。
【００１３】
上記管理方法のステップＢにおいて、チャネル品質パラメータ測定値に対応するキャリア周波数とチャネル品質パラメータ測定値に対応するセル負荷とに基づいて、上記補正量を特定し、上記補正量を利用して対応するチャネル品質パラメータ測定値を補正し、ただし、上記チャネル品質パラメータ測定値に対応するセル負荷が小さいほど、上記チャネル品質パラメータ測定値に対応する補正量が大きくなる。
【００１４】
上記管理方法は、セカンダリセル候補集合を取得するステップＤと、ただし、上記セカンダリセル候補集合における全セルが上記プライマリセルとは同一の基地局に属し、且つ上記セカンダリセル候補集合における各セルの補正後のチャネル品質パラメータ測定値と加入閾値との和が、プライマリセルに対応する補正後のチャネル品質パラメータ測定値以上であり、各キャリアに対応するセルにおいて、補正後のチャネル品質パラメータ測定値が最大のセルのみを保留するようにセカンダリセル候補集合に対して削除操作を実行するステップＥと、上記削除操作実行後のセカンダリセル候補集合におけるセルの一部又はすべてを上記ユーザ設備のセカンダリセルに配置するステップＦと、を更に含む。
【００１５】
上記管理方法は、ユーザ設備の既存セカンダリセルの補正後のチャネル品質パラメータ測定値と削除閾値との和が、プライマリセルの補正後のチャネル品質パラメータ測定値より小さいか否かを判断するステップＧと、ユーザ設備の既存セカンダリセルの補正後のチャネル品質パラメータ測定値と削除閾値との和が、プライマリセルに対応する補正後のチャネル品質パラメータ測定値より小さい場合、上記既存セカンダリセルを上記ユーザ設備のセカンダリセルとしないように削除操作を実行するステップＨと、を更に含む。
【００１６】
上記管理方法のステップＤにおいて、上記加入閾値は、サービス基地局の負荷によって定められ、サービス基地局の負荷が大きいほど、上記加入閾値が小さくなる。
【００１７】
上記管理方法のステップＨにおいて、上記削除閾値は、サービス基地局の負荷によって定められ、サービス基地局の負荷が大きいほど、上記削除閾値が小さくなる。
【００１８】
上記目的を実現するために、本発明の実施例は、キャリアアグリゲーション環境におけるセルの管理装置を更に提供する。
【００１９】
該管理装置は、ユーザ設備によって測定した全基地局の全キャリア上の全セルでのチャネル品質パラメータ測定値を取得する測定値取得モジュールと、少なくともチャネル品質パラメータ測定値に対応するキャリア周波数に基づいて、チャネル品質パラメータ測定値に対応する補正量を特定し、上記補正量を利用して対応するチャネル品質パラメータ測定値を補正する補正モジュールと、ただし、上記チャネル品質パラメータ測定値に対応するキャリア周波数が高いほど、上記チャネル品質パラメータ測定値に対応する補正量が大きくなり、補正後のチャネル品質パラメータ測定値から最大値を選択し、該最大値を有する補正後のチャネル品質パラメータ測定値に対応するセルを、上記ユーザ設備のプライマリセルに配置する第１配置モジュールと、を含む。
【００２０】
上記管理装置の上記補正モジュールは、チャネル品質パラメータ測定値に対応するキャリア周波数とチャネル品質パラメータ測定値に対応するセル負荷とに基づいて、チャネル品質パラメータ測定値に対応する上記補正量を特定し、上記補正量を利用して対応するチャネル品質パラメータ測定値を補正し、ただし、上記チャネル品質パラメータ測定値に対応するセル負荷が小さいほど、上記チャネル品質パラメータ測定値に対応する補正量が大きくなる。
【００２１】
上記管理装置は、セカンダリセル候補集合を取得する集合取得モジュールと、ただし、上記セカンダリセル候補集合における全セルが上記プライマリセルとは同一の基地局に属し、且つ上記セカンダリセル候補集合における各セルの補正後のチャネル品質パラメータ測定値と加入閾値との和が、プライマリセルに対応する補正後のチャネル品質パラメータ測定値以上であり、各キャリアに対応するセルにおいて、補正後のチャネル品質パラメータ測定値が最大のセルのみを保留するようにセカンダリセル候補集合に対して削除操作を実行する第１削除モジュールと、上記削除操作実行後のセカンダリセル候補集合におけるセルの一部又はすべてを上記ユーザ設備のセカンダリセルに配置する第２配置モジュールと、を更に含む。
【００２２】
上記管理装置は、ユーザ設備の既存セカンダリセルの補正後のチャネル品質パラメータ測定値と削除閾値との和が、プライマリセルの補正後のチャネル品質パラメータ測定値より小さいか否かを判断する判断モジュールと、ユーザ設備の既存セカンダリセルの補正後のチャネル品質パラメータ測定値と削除閾値との和が、プライマリセルに対応する補正後のチャネル品質パラメータ測定値より小さい場合、上記既存セカンダリセルを上記ユーザ設備のセカンダリセルとしないように削除操作を実行する第２削除モジュールと、を更に含む。
【００２３】
上記管理装置において、上記加入閾値は、サービス基地局の負荷によって定められ、サービス基地局の負荷が大きいほど、上記加入閾値が小さくなる。
【００２４】
上記管理装置において、上記削除閾値は、サービス基地局の負荷によって定められ、サービス基地局の負荷が大きいほど、上記削除閾値が小さくなる。
【発明の効果】
【００２５】
本発明の実施例に拠れば、下記のような有益な効果を奏する。
【００２６】
本発明の実施例は、周波数、又は、周波数及び負荷に関する要素を通してチャネル品質パラメータ測定値を補正し、補正後の測定値を利用してプライマリセルの配置を行なうとともに、負荷に応じてセカンダリセルの選択／削除の閾値を調整することにより、キャリアアグリゲーション環境におけるユーザの体験速度を向上させるだけではなく、各セル間の負荷のバランスが図れている。
【図面の簡単な説明】
【００２７】
【図１】従来技術におけるキャリアアグリゲーションシステムの応用シーンを示す。
【図２】図１におけるキャリアアグリゲーションシステムの分解図を示す。
【図３】本発明の実施例におけるキャリアアグリゲーション環境でのセル管理方法の流れを示す。
【図４】本発明の実施例の方法でのシミュレーション結果を示す。
【図５】本発明の実施例の方法でのシミュレーション結果を示す。
【発明を実施するための形態】
【００２８】
本発明の実施例において、チャネル品質パラメータに影響を与える補正量に基づいてチャネル品質パラメータを補正し、補正後のチャネル品質パラメータに基づいてコンポーネントキャリアを選択し、キャリアアグリゲーション環境におけるユーザ体験速度を向上させる。
【００２９】
図３に示すように、本発明の実施例におけるキャリアアグリゲーション環境でのセル管理方法は、下記のステップ３１、ステップ３２及びステップ３３を含む。
【００３０】
ステップ３１において、ネットワーク側は、上記ユーザ設備によって測定した全基地局の全キャリア上の全セルでのチャネル品質パラメータ測定値を取得する。
【００３１】
キャリアアグリゲーションシステムにおいて、ユーザ設備が測定したいずれのセルのチャネル品質パラメータは、いずれの基地局のいずれのキャリア上のいずれのセルに一対一に対応し、即ち、一つのチャネル品質パラメータが一つの基地局、一つのキャリア、一つのセルに一義的に対応する。図１を例とし、図１に示すキャリアアグリゲーションシステムをキャリアと基地局で分解すると、図２に示す分解図を得る。図２は、基地局１〜３がそれぞれキャリアＣＣ１、ＣＣ２においてキャリアアグリゲーションを行なうことを示し、各基地局が各キャリアにおいて三つのセルを有し、上記チャネル品質パラメータ測定値とは、ユーザ設備によって測定したそのうちのいずれのセルのチャネル品質パラメータであり、ステップ３２において、少なくともチャネル品質パラメータ測定値に対応するキャリア周波数に基づいて、チャネル品質パラメータ測定値に対応する補正量を特定し、上記補正量を利用して対応するチャネル品質パラメータ測定値を補正し、上記チャネル品質パラメータ測定値に対応するキャリア周波数が高いほど、上記チャネル品質パラメータ測定値に対応する補正量が大きくなる。
【００３２】
ステップ３３において、補正後のチャネル品質パラメータ測定値から最大値を選択し、該最大値を有する補正後のチャネル品質パラメータ測定値に対応するセルを、上記ユーザ設備のプライマリセルに配置する。
【００３３】
本発明の具体的な実施例において、該チャネル品質パラメータは、参考信号受信パワーＲＳＲＰ（Reference  Signal  Receiving  Power）である。
【００３４】
本発明の具体的な実施例において、チャネル品質パラメータ測定値に対応するキャリア周波数のみに基づいて、チャネル品質パラメータ測定値に対応する補正量を特定することができる。下記のように説明する。
【００３５】
予めキャリア周波数と補正量とを関連付けてその対応関係を保存する。キャリア周波数がそれぞれ８００ＭＨz、２ＧＨz、３．５ＧＨzであることを例とすると、キャリア周波数と補正量との対応関係は、下記のように示される。
0005820186.tif 000002
【００３６】
上記テーブルにおいて、offset00  <offset10  <offset20の関係を有し、即ち、キャリア周波数が高いほど、対応する補正量も大きくなる。
【００３７】
キャリア周波数がそれぞれ８００ＭＨz、２ＧＨzであることを例とする。ユーザ設備によって下記のようなＲＳＲＰ値を測定したとする。
ＲＳＲＰ１１：ユーザ設備によって測定した基地局１のキャリア１（８００ＭＨz）上のセルのチャネル品質パラメータ測定値
ＲＳＲＰ１２：ユーザ設備によって測定した基地局１のキャリア２（２ＧＨz）上のセルのチャネル品質パラメータ測定値
ＲＳＲＰ２１：ユーザ設備によって測定した基地局２のキャリア１（８００ＭＨz）上のセルのチャネル品質パラメータ測定値
ＲＳＲＰ２２：ユーザ設備によって測定した基地局２のキャリア２（２ＧＨz）上のセルのチャネル品質パラメータ測定値
ＲＳＲＰ３１：ユーザ設備によって測定した基地局３のキャリア１（８００ＭＨz）上のセルのチャネル品質パラメータ測定値
ＲＳＲＰ３２：ユーザ設備によって測定した基地局３のキャリア２（２ＧＨz）上のセルのチャネル品質パラメータ測定値
【００３８】
従来技術の内容を利用すれば、ネットワーク側設備が直接的にＲＳＲＰ１１、ＲＳＲＰ１２、…、ＲＳＲＰ３２を比較し、ＲＳＲＰ１１〜ＲＳＲＰ３２のうちの最大値に対応するセルをユーザ設備のプライマリセルに配置する。
【００３９】
しかし、上記の技術案では、ＲＳＲＰそのもののみが考慮されており、ほかの要素が考慮されていない。しかし、本発明の具体的な実施例において、ＲＳＲＰ１１、ＲＳＲＰ１２、…、ＲＳＲＰ３２の一連の測定値を得た後、キャリア周波数に基づいて測定値を補正する。補正後のＲＳＲＰ測定値は、下記のようになる。
RSRP11+  offset00、RSRP12+  offset10、RSRP21+  offset00、RSRP22+  offset10、RSRP31+  offset00、RSRP32+  offset10。
【００４０】
それから、補正後のＲＳＲＰ測定値シーケンスから最大値を選択し、たとえばRSRP22+  offset10である場合、RSRP22に対応するセル（基地局２のキャリア２上のセル）をプライマリセルに配置する。
【００４１】
図１に示すキャリアアグリゲーションシステムにおいて、ＲＳＲＰ測定値のみを考慮してプライマリセルを決定する場合、次のようなことが生じうる。大量の端末があるセルＡのＲＳＲＰが別のセルＢのＲＳＲＰより大きいと発見すると、実際のＲＳＲＰの差が小さいにかかわらず、これらの端末が該セルＡのキャリアをプライマリコンポーネントキャリアとして選択する。即ち、大量の端末がセルＡのキャリアにアクセスし、セルＡの負荷が大きくなる一方、セルＢのキャリアにアクセスする端末がなく、負荷が小さい。このようなことを避けるために、本発明の具体的な実施例において、下記のようにステップ３２を実行する。
【００４２】
チャネル品質パラメータ測定値に対応するキャリア周波数とチャネル品質パラメータ測定値に対応するセル負荷とに基づいて、チャネル品質パラメータ測定値に対応する補正量を特定し、上記補正量を利用して対応するチャネル品質パラメータ測定値を補正し、上記チャネル品質パラメータ測定値に対応するキャリア周波数が大きいほど、上記チャネル品質パラメータ測定値に対応する補正量が大きくなり、上記チャネル品質パラメータ測定値に対応するセル負荷が小さいほど、上記チャネル品質パラメータ測定値に対応する補正量が大きくなり、上記の方式により、負荷の小さいセルのキャリアが端末によってプライマリコンポーネントキャリアに選択される可能性を大きくし、セルの負荷のバランスが図れている。
【００４３】
下記のように詳しく説明する。
【００４４】
予めキャリア周波数、セル負荷及び補正量を関連付けてその対応関係を保存する。キャリア周波数がそれぞれ８００ＭＨz、２ＧＨzであることをを例とすると、対応関係は、下記のように示される。
0005820186.tif 000003
【００４５】
上記の対応関係では、基地局の負荷を四つのレベルに分けているが、勿論、より精確に制御するために、基地局の負荷をより多くのレベルに分けることができる。
【００４６】
上記テーブルにおいて、下記の関係を有する。
offset00<offset10<offset20、offset01<offset11<offset21、offset02<offset12<offset22、offset03<offset13<offset23、offset00>offset01>offset02>offset03、offset10>offset11>offset12>offset13、offset20>offset21>offset22>offset23。
【００４７】
キャリア周波数がそれぞれ８００ＭＨz、２ＧＨzであることを例とする。ユーザ設備によって下記のようなＲＳＲＰ値を測定したとする。
ＲＳＲＰ１１：ユーザ設備によって測定した基地局１のキャリア１（８００ＭＨz）上のセルのチャネル品質パラメータ測定値
ＲＳＲＰ１２：ユーザ設備によって測定した基地局１のキャリア２（２ＧＨz）上のセルのチャネル品質パラメータ測定値
ＲＳＲＰ２１：ユーザ設備によって測定した基地局２のキャリア１（８００ＭＨz）上のセルのチャネル品質パラメータ測定値
ＲＳＲＰ２２：ユーザ設備によって測定した基地局２のキャリア２（２ＧＨz）上のセルのチャネル品質パラメータ測定値
ＲＳＲＰ３１：ユーザ設備によって測定した基地局３のキャリア１（８００ＭＨz）上のセルのチャネル品質パラメータ測定値
ＲＳＲＰ３２：ユーザ設備によって測定した基地局３のキャリア２（２ＧＨz）上のセルのチャネル品質パラメータ測定値
【００４８】
従来技術の内容を利用すれば、ネットワーク側設備が直接的にＲＳＲＰ１１、ＲＳＲＰ１２、…、ＲＳＲＰ３２を比較し、ＲＳＲＰ１１〜ＲＳＲＰ３２のうちの最大値に対応するセルをユーザ設備のプライマリセルに配置する。
【００４９】
しかし、上記の技術案では、ＲＳＲＰそのもののみが考慮されており、ほかの要素が考慮されていない。しかし、本発明の具体的な実施例において、ＲＳＲＰ１１、ＲＳＲＰ１２、…、ＲＳＲＰ３２の一連の測定値を得た後、キャリア周波数と負荷に基づいて測定値を補正する。ＲＳＲＰ１１、ＲＳＲＰ１２、…、ＲＳＲＰ３２に対応するセル負荷がそれぞれ２５％、３５％、４５％、５５％、６５％、７５％、８５％である場合、補正後のＲＳＲＰ測定値は、下記のようになる。
RSRP11+  offset00、RSRP12+  offset11、RSRP21+  offset01、RSRP22+  offset12、RSRP31+  offset03、RSRP32+  offset13。
【００５０】
それから、補正後のＲＳＲＰ測定値シーケンスから最大値を選択し、たとえばRSRP22+  offset12である場合、RSRP22に対応するセル（基地局２のキャリア２上のセル）をプライマリセルに配置する。
【００５１】
上記の方式により、負荷の小さいセルのキャリアが端末によってプライマリコンポーネントキャリアに選択される可能性を大きくし、セルの負荷のバランスが図れるとともに、ユーザの体験速度を向上させることもできる。
【００５２】
プライマリセルを選択した後、引き続きセカンダリセルを選択する必要がある。本発明の具体的な実施例において、従来の方法に従い、補正後のチャネル品質パラメータ測定値を使用してセカンダリセルを選択することができる。
【００５３】
相対値方法を採用する場合、セカンダリセルを取得するには閾値を設置する必要がある。具体的に下記のステップが含まれる。
【００５４】
１.セカンダリセル候補集合を取得する。上記セカンダリセル候補集合における全セルが上記プライマリセルとはいずれもサービス基地局に属し、且つ上記セカンダリセル候補集合における各セルの補正後のチャネル品質パラメータ測定値と加入閾値との和が、プライマリセルに対応する補正後のチャネル品質パラメータ測定値以上である。
【００５５】
２.各コンポーネントキャリアに対応するセルのうち、補正後のチャネル品質パラメータ測定値が最大のセルのみを保留するようにセカンダリセル候補集合に対して削除操作を実行する。
【００５６】
３.上記削除操作実行後のセカンダリセル候補集合におけるセルの一部又はすべてを上記ユーザ設備のセカンダリセルに配置する。
【００５７】
相対値方法を採用する場合、セカンダリセルを削除するには別の閾値を設置する必要がある。具体的に下記のステップが含まれる。
【００５８】
１.ユーザ設備の既存セカンダリセルの補正後のチャネル品質パラメータ測定値と削除閾値との和がプライマリセルに対応する補正後のチャネル品質パラメータ測定値より小さいか否かを判断する。
【００５９】
２.ユーザ設備の既存セカンダリセルの補正後のチャネル品質パラメータ測定値と削除閾値との和がプライマリセルに対応する補正後のチャネル品質パラメータ測定値より小さい場合、上記ユーザ設備のセカンダリセルに上記既存セカンダリセルを配置しないように削除操作を実行する。
【００６０】
本発明の具体的な実施例において、負荷のバランスを保証するために、基地局の負荷を考慮すべきである。基地局の負荷が比較的に大きい場合、ユーザ設備によりセカンダリセルへアクセスすることを避けるために、加入閾値を低く設定する。勿論、基地局の負荷が比較的に小さい場合、ユーザ設備によりセカンダリセルへアクセスするように、削除閾値を高く設定して、削除されることを避ける。上記の理由に基づき、本発明の具体的な実施例において、セカンダリセル候補集合を取得する際に、更にサービス基地局の負荷に基づいて上記加入閾値を特定し、サービス基地局の負荷が大きいほど、上記加入閾値が小さくなり、既存セカンダリセルの補正後のチャネル品質パラメータ測定値と削除閾値との和がプライマリセルに対応する補正後のチャネル品質パラメータ測定値より小さいか否かを判断する際に、更にサービス基地局の負荷に基づいて上記削除閾値を特定し、サービス基地局の負荷が大きいほど、上記削除閾値が小さくなる。
【００６１】
本発明の実施例におけるキャリアアグリゲーション環境でのセル管理装置において、下記の測定値取得モジュール、補正モジュール、及び第１配置モジュールを含む。
【００６２】
測定値取得モジュールは、ユーザ設備によって測定した全基地局の全キャリア上の全セルでのチャネル品質パラメータ測定値を取得する。
【００６３】
補正モジュールは、少なくともチャネル品質パラメータ測定値に対応するキャリア周波数に基づいて、チャネル品質パラメータ測定値に対応する補正量を特定し、上記補正量を利用して対応するチャネル品質パラメータ測定値を補正する。上記チャネル品質パラメータ測定値に対応するキャリア周波数が高いほど、上記チャネル品質パラメータ測定値に対応する補正量が大きくなる。
【００６４】
第１配置モジュールは、補正後のチャネル品質パラメータ測定値から最大値を選択し、該最大値を有する補正後のチャネル品質パラメータ測定値に対応するセルを、上記ユーザ設備のプライマリセルに配置する。
【００６５】
ただし、上記補正モジュールは、チャネル品質パラメータ測定値に対応するキャリア周波数とチャネル品質パラメータ測定値に対応するセル負荷とに基づいて、チャネル品質パラメータ測定値に対応する上記補正量を特定し、上記補正量を利用して対応するチャネル品質パラメータ測定値を補正し、上記チャネル品質パラメータ測定値に対応するセル負荷が小さいほど、上記チャネル品質パラメータ測定値に対応する補正量が大きくなる。
【００６６】
上記管理装置は、下記の集合取得モジュール、第１削除モジュール及び第２配置モジュールを更に含む。
【００６７】
集合取得モジュールは、セカンダリセル候補集合を取得するが、上記セカンダリセル候補集合における全セルが上記プライマリセルとは同一の基地局に属し、且つ上記セカンダリセル候補集合における各セルの補正後のチャネル品質パラメータ測定値と加入閾値との和が、プライマリセルに対応する補正後のチャネル品質パラメータ測定値以上である。
【００６８】
第１削除モジュールは、各キャリアに対応するセルにおいて、補正後のチャネル品質パラメータ測定値が最大のセルのみを保留するようにセカンダリセル候補集合に対して削除操作を実行する。
【００６９】
第２配置モジュールは、上記削除操作実行後のセカンダリセル候補集合におけるセルの一部又はすべてを上記ユーザ設備のセカンダリセルに配置する。
【００７０】
上記の管理装置は、下記の判断モジュール及び第２削除モジュールを更に含む。
【００７１】
判断モジュールは、ユーザ設備の既存セカンダリセルの補正後のチャネル品質パラメータ測定値と削除閾値との和がプライマリセルの補正後のチャネル品質パラメータ測定値より小さいか否かを判断する。
【００７２】
第２削除モジュールは、ユーザ設備の既存セカンダリセルの補正後のチャネル品質パラメータ測定値と削除閾値との和がプライマリセルに対応する補正後のチャネル品質パラメータ測定値より小さい場合、上記ユーザ設備のセカンダリセルに上記既存セカンダリセルを配置しないように削除操作を実行する。
【００７３】
上記加入閾値は、サービス基地局の負荷によって定められ、サービス基地局の負荷が大きいほど、上記加入閾値が小さくなる。
【００７４】
上記削除閾値は、サービス基地局の負荷によって定められ、サービス基地局の負荷が大きいほど、上記削除閾値が小さくなる。
【００７５】
本発明の具体的な実施例において、チャネル品質パラメータ測定値の補正量及び異なる負荷での加入閾値と削除閾値に係わるが、該補正量と閾値は、いずれも多種類の方式を通して予め取得して保存することができ、使用過程において直接的に検索して使用すればよい。以下、補正量の取得を例として詳しく説明する。
【００７６】
＜取得方式一：外層循環法＞
基地局の投入使用時に、体験速度に対するユーザからのフィードバック、及び現在の周波数点、負荷などの情報に基づいて、初期設定のパラメータに対して適応な調整を行い、取得した最適値を保存して将来の使用に供する。
【００７７】
ユーザからフィードバックされた体験速度が低下することを発見すると、以前の補正量を補正して、逆の方向（たとえば大きくなる方向）へ調整し、次回、ユーザからフィードバックされた体験速度が向上することを発見すると、引き続き逆の方向（大きくなる方向）へ調整し、ユーザからフィードバックされた体験速度が低下することを発見すると、方向の変更（小さくなる方向）をするが、同時に調整ステップ長さを低下させて調整する必要があり、これに準じて循環して、ユーザからフィードバックされた体験速度の変化が閾値より小さくなるまで繰り返し、閾値より小さくなってから調整を停止させ、最後のパラメータを保存する。
【００７８】
上記方式は、実際の環境においてテストする必要があり、負荷、周波数点が常に満足できるかに制限を受ける可能性があるので、取得方式二を採用して取得することができる。
【００７９】
＜取得方式二：シミュレーションで取得する＞
まず、シミュレーション環境を作成する。シミュレーション環境の作成について、現在、大量のシミュレーションソフトにより実現可能であり、当業者にとって常識であるので、ここでは詳しく説明しない。
【００８０】
それから、各種類の異なるパラメータ値をシミュレーション環境に代入してシミュレーションを行い、最適性能を記録する。
【００８１】
最後に、最適性能に対応するパラメータを選択して保存し、実際のシステムに応用する。
【００８２】
精確さを保証するために、たとえば下記のテーブルについて、閾値となる区間を設定し、それから均等分割して、最後に組み合わせて、多くのテーブルを得ることができ、各テーブルでそれぞれシミュレーションを行い、最後に最適な組み合わせを得ることができる。勿論、最適性能になるべく近くするために、offsetの調整ステップ長さをなるべく細かく設定することが考えられる。
0005820186.tif 000004
【００８３】
すべてのoffset区間[Ａ，Ｂ]が１０等分割する場合、上記テーブルの最適値が得られるには、１０１２回の実験が必要となる。実験の回数が多いが、このように繰り返して行なわれるシミュレーションは、コンピュータで自動的に実行すればよく、難しくはならないので、実験回数の膨大が最適パラメータ取得の障害にはならない。
【００８４】
該区間[Ａ，Ｂ]の設定について、最初に区間が特定されない場合、上限のＢを大きめに設定すればよい。たとえば従来の最大のＲＳＲＰ測定値より大きめに設定すればよい。
【００８５】
以下、シミュレーションを通じて、本発明の実施例による有益な効果を証明する。
【００８６】
シミュレーションのパラメータは、下記のように示される。
0005820186.tif 000005
【００８７】
補正量と周波数、負荷間の関係は、下記テーブルに示す。
0005820186.tif 000006
【００８８】
加入閾値／削除閾値と負荷との関係は、下記テーブルに示す。
0005820186.tif 000007
【００８９】
もちろん、上記の補正量と周波数、負荷間の関係や、加入閾値／削除閾値と負荷との関係は、シミュレーション用のものであって、上記二つのテーブルの数値間の関係は、補正量と周波数、負荷間の関係や、加入閾値／削除閾値と負荷との関係に対する限定にはならない。
【００９０】
図４は、キャリア１（８００ＭＨz）のアンテナ角度とキャリア２（２ＧＨz）のアンテナ角度が同一であるが、カバーレッジが完全一致ではなく（シーン２）、且つキャリア１の伝送帯域幅が１０ＭＨzであり、キャリア２の伝送帯域幅が１０ＭＨzである場合のシミュレーション結果を示す。図４に示すように、本発明の実施例の方法を利用したユーザ設備の平均スループットは、ジョイントスケジューリング方式でのユーザ設備の平均スループットとはほとんど差がないが、従来の測定値の補正をしない方法に比較して、ユーザ設備の平均スループットが少なくとも１００％増加したことがわかる。
【００９１】
図５は、キャリア１（８００ＭＨz）のアンテナ角度とキャリア２（２ＧＨz）のアンテナ角度が異なり（シーン３）、且つキャリア１の伝送帯域幅が１０ＭＨzであり、キャリア２の伝送帯域幅が１０ＭＨzである場合のシミュレーション結果を示す。図５に示すように、本発明の実施例の方法を利用したユーザ設備の平均スループットは、ジョイントスケジューリング方式でのユーザ設備の平均スループットとはほとんど差がないが、従来の測定値の補正をしない方法に比較して、ユーザ設備の平均スループットが明らかに増大し、特にユーザ数が比較的に少ない場合に、ユーザ設備の平均スループットの増大が明らかであることがわかる。
【００９２】
上記のシミュレーション結果から、本発明の実施例の方法によれば、各種類のシーンにおいて、ユーザ設備の平均スループットが基本的に最大値（ジョイントスケジューリング方式でのユーザ設備の平均スループット）に達することができるが、測定値の補正をせず、閾値の補償をしない従来技術に比較して、ユーザ設備の平均スループットが明らかに増大することを証明した。
【００９３】
以上は、本発明の好ましい実施方式に過ぎない。なお、当該分野の一般技術者にとって、本発明の原理を背離しない前提で、若干の改進や修飾が考えられる。ただし、これらの改進や修飾も本発明の保護範囲にあることが理解されよう。
【図１】
0005820186.tif 000008
【図２】
0005820186.tif 000009
【図３】
0005820186.tif 000010
【図４】
0005820186.tif 000011
【図５】
0005820186.tif 000012